(57)【要約】【課題】  再生モードにおける機能切替えのためのキーと他の動作モードで使用されるキーを兼用する。【解決手段】  制御部１１０を、ＨＤＤ１４０の再生モードとは異なるモードで動作させる場合には、入力部１３０の複数キーのうちの所定キー群が操作されたことに応じて与えられる指示に基づき、予め提示されている項目が選択される。再生モードで動作させる場合には、入力部１３０の所定キー群が操作されたことに応じて与えられる指示に基づき、通常再生モードおよび複数のトリックプレイモード間でＨＤＤ１４０の動作モードの切替えをする。【選択図】        図１
2006323910.tif 000002
【特許請求の範囲】
【請求項１】
ハードディスクに記録されたコンテンツを指定された動作モードに従い再生する再生部と、
指示を入力するために操作される複数キーを有する入力部とを備えるディスク再生装置であって、
前記ディスク再生装置を、前記再生部により前記コンテンツを再生するための再生モードおよび前記再生モードとは異なるモードで動作させるための制御部をさらに備えて、
前記制御部は、
前記異なるモードで動作させる場合には、前記入力部の前記複数キーのうちの所定キー群が操作されたことに応じて与えられる前記指示に基づき、予め提示されている項目を選択する項目選択手段と、所定キー群はカーソル移動のための移動方向の指示キーからなり、
前記ディスク再生装置を前記再生モードで動作させる場合には、前記再生部の前記動作モードを、前記入力部の前記所定キー群が操作されたことに応じて与えられる前記指示に基づき指定する動作モード制御手段と、を含み、
前記動作モード制御手段は、
前記入力部の前記所定キー群が操作されたことに応じて与えられる前記指示に基づき、通常再生モードおよび複数のトリックプレイモード間で前記再生部の前記動作モードの切換え指定をするモード切替手段を有し、
前記モード切替手段は、
前記所定キー群の第１キーが操作される毎に、所定期間キー操作がされないことを検出する検出手段を含み、前記検出手段により検出されない場合に、前記動作モードの切換え指定を実施し、
前記第１キーが操作される毎に、前記通常再生モードおよび前記複数のトリックプレイモード間で所定順番に従い前記動作モードの切換え指定を実施し、
前記動作モード制御手段は、
前記再生モードにおいて前記所定キー群の第２キーが操作されたことに応じて与えられる前記指示に基づき、前記再生部の動作を停止させ、前記動作モードが前記複数のトリックプレイモードのいずれかに切換え指定された場合には、前記所定キー群の第３キーが操作されたことに応じて与えられる前記指示に基づき、前記動作モードを前記通常再生モードに切換え、
前記複数のトリックプレイモードには、スキップ再生モードが含まれて、前記動作モードが前記スキップ再生モードに切換え指定された場合には、前記所定キー群の所定種類のキーが操作されたことに応じて与えられる前記指示に基づき、スキップすべき時間が示され、
前記動作モード制御手段は、前記所定種類のキーが操作される毎に、前記スキップすべき時間を更新し、
前記複数のトリックプレイモードには、早送りまたは巻戻しモードが含まれて、前記動作モードが前記早送りまたは巻戻しモードに切換え指定された場合には、前記所定キー群の所定種類のキーが操作されたことに応じて与えられる前記指示に基づき、早送りまたは巻戻しの別と再生速度とが示され、
前記複数のトリックプレイモードには、スロー再生モードが含まれて、前記動作モードが前記スロー再生モードに切換え指定された場合には、前記所定キー群の所定種類のキーが操作されたことに応じて与えられる前記指示に基づき、再生速度が示され、
前記複数のトリックプレイモードには、前記再生部の動作を一時停止させるための一時停止モードが含まれ、
前記動作モード制御手段は、前記モード切替手段により、前記複数のトリックプレイモードのうちから前記動作モードに対して切換え指定されたモードを識別する情報を表示する表示手段を有する、ディスク再生装置。
【請求項２】
ディスクに記録されたコンテンツを指定された動作モードに従い再生する再生部と、
指示を入力するために操作される複数キーを有する入力部とを備えるディスク再生装置であって、
前記ディスク再生装置を、前記再生部により前記コンテンツを再生するための再生モードおよび前記再生モードとは異なるモードで動作させるための制御部をさらに備えて、
前記制御部は、
前記異なるモードで動作させる場合には、前記入力部の前記複数キーのうちの所定キー群が操作されたことに応じて与えられる前記指示に基づき、予め提示されている項目を選択する項目選択手段と、
前記ディスク再生装置を前記再生モードで動作させる場合には、前記再生部の前記動作モードを、前記入力部の前記所定キー群が操作されたことに応じて与えられる前記指示に基づき指定する動作モード制御手段と、を含み、
前記動作モード制御手段は、
前記入力部の前記所定キー群が操作されたことに応じて与えられる前記指示に基づき、通常再生モードおよび複数のトリックプレイモード間で前記再生部の前記動作モードの切換え指定をするモード切替手段を有する、ディスク再生装置。
【請求項３】
前記モード切替手段は、
前記所定キー群の第１キーが操作される毎に、所定期間キー操作がされないことを検出する検出手段を含み、
前記検出手段により検出されない場合に、前記動作モードの切換え指定を実施する、請求項２に記載のディスク再生装置。
【請求項４】
前記モード切替手段は、
前記第１キーが操作される毎に、前記通常再生モードおよび前記複数のトリックプレイモード間で所定順番に従い前記動作モードの切換え指定を実施する、請求項２または３に記載のディスク再生装置。
【請求項５】
前記動作モード制御手段は、
前記再生モードにおいて前記所定キー群の第２キーが操作されたことに応じて与えられる前記指示に基づき、前記再生部の動作を停止させる、請求項２から４のいずれか１項に記載のディスク再生装置。
【請求項６】
前記動作モード制御手段は、
前記動作モードが前記複数のトリックプレイモードのいずれかに切換え指定された場合には、前記所定キー群の第３キーが操作されたことに応じて与えられる前記指示に基づき、前記動作モードを前記通常再生モードに切換える、請求項２から５のいずれか１項に記載のディスク再生装置。
【請求項７】
前記複数のトリックプレイモードには、スキップ再生モードが含まれて、
前記動作モードが前記スキップ再生モードに切換え指定された場合には、前記所定キー群の所定種類のキーが操作されたことに応じて与えられる前記指示に基づき、スキップすべき時間が示される、請求項２から６のいずれか１項に記載のディスク再生装置。
【請求項８】
前記動作モード制御手段は、
前記所定種類のキーが操作される毎に、前記スキップすべき時間を更新する、請求項７に記載のディスク再生装置。
【請求項９】
前記複数のトリックプレイモードには、早送りまたは巻戻しモードが含まれて、
前記動作モードが前記早送りまたは巻戻しモードに切換え指定された場合には、前記所定キー群の所定種類のキーが操作されたことに応じて与えられる前記指示に基づき、早送りまたは巻戻しの別と再生速度とが示される、請求項２から８のいずれか１項に記載のディスク再生装置。
【請求項１０】
前記複数のトリックプレイモードには、スロー再生モードが含まれて、
前記動作モードが前記スロー再生モードに切換え指定された場合には、前記所定キー群の所定種類のキーが操作されたことに応じて与えられる前記指示に基づき、再生速度が示される、請求項２から９のいずれか１項に記載のディスク再生装置。
【請求項１１】
前記複数のトリックプレイモードには、前記再生部の動作を一時停止させるための一時停止モードが含まれる、請求項２から１０のいずれか１項に記載のディスク再生装置。
【請求項１２】
前記動作モード制御手段は、
前記モード切替手段により、前記複数のトリックプレイモードのうちから前記動作モードに対して切換え指定されたモードを識別する情報を表示する表示手段を有する、請求項２から１１のいずれか１項に記載のディスク再生装置。
【請求項１３】
前記所定キー群のキーは隣接してることを特徴とする、請求項１から１２のいずれか１項に記載のディスク再生装置。
【請求項１４】
前記所定キー群は、カーソル移動のための移動方向の指示キーである、請求項１から１３のいずれか１項に記載のディスク再生装置。
【請求項１５】
ハードディスクに記録されたコンテンツを指定された動作モードに従い再生する再生部と、
指示を入力するために操作される複数キーを有する入力部とを備えるディスク再生装置におけるディスク再生方法であって、
前記ディスク再生装置を、前記再生部により前記コンテンツを再生するための再生モードおよび前記再生モードとは異なるモードで動作させるための制御ステップを備え、
前記制御ステップは、
前記異なるモードで動作させる場合には、前記入力部の前記複数キーのうちの隣接したキーからなる所定キー群が操作されたことに応じて与えられる前記指示に基づき、予め提示されている項目を選択する項目選択ステップと、所定キー群はカーソル移動のための移動方向の指示キーからなり、
前記ディスク再生装置を前記再生モードで動作させる場合には、前記再生部の前記動作モードを、前記入力部の前記所定キー群が操作されたことに応じて与えられる前記指示に基づき指定する動作モード制御ステップと、を含み、
前記動作モード制御ステップは、
前記入力部の前記所定キー群が操作されたことに応じて与えられる前記指示に基づき、通常再生モードおよび複数のトリックプレイモード間で前記再生部の前記動作モードの切換え指定をするモード切替ステップを有し、
前記モード切替ステップは、前記所定キー群の第１キーが操作される毎に、所定期間キー操作がされないことを検出する検出ステップを含み、前記検出ステップにより検出されない場合に、前記動作モードの切換え指定を実施し、
前記第１キーが操作される毎に、前記通常再生モードおよび前記複数のトリックプレイモード間で所定順番に従い前記動作モードの切換え指定を実施し、
前記動作モード制御ステップでは、
前記再生モードにおいて前記所定キー群の第２キーが操作されたことに応じて与えられる前記指示に基づき、前記再生部の動作を停止させ、前記動作モードが前記複数のトリックプレイモードのいずれかに切換え指定された場合には、前記所定キー群の第３キーが操作されたことに応じて与えられる前記指示に基づき、前記動作モードを前記通常再生モードに切換え、
前記複数のトリックプレイモードには、スキップ再生モードが含まれて、前記動作モードが前記スキップ再生モードに切換え指定された場合には、前記所定キー群の所定種類のキーが操作されたことに応じて与えられる前記指示に基づき、スキップすべき時間が示され、
前記動作モード制御ステップでは、前記所定種類のキーが操作される毎に、前記スキップすべき時間を更新し、
前記複数のトリックプレイモードには、早送りまたは巻戻しモードが含まれて、前記動作モードが前記早送りまたは巻戻しモードに切換え指定された場合には、前記所定キー群の所定種類のキーが操作されたことに応じて与えられる前記指示に基づき、早送りまたは巻戻しの別と再生速度とが示され、
前記複数のトリックプレイモードには、スロー再生モードが含まれて、前記動作モードが前記スロー再生モードに切換え指定された場合には、前記所定キー群の所定種類のキーが操作されたことに応じて与えられる前記指示に基づき、再生速度が示され、
前記複数のトリックプレイモードには、前記再生部の動作を一時停止させるための一時停止モードが含まれ、
前記動作モード制御ステップは、前記モード切替ステップにより、前記複数のトリックプレイモードのうちから前記動作モードに対して切換え指定されたモードを識別する情報を表示する表示ステップを有する、ディスク再生方法。
【請求項１６】
ディスクに記録されたコンテンツを指定された動作モードに従い再生する再生部と、
指示を入力するために操作される複数キーを有する入力部と、
前記再生部により前記コンテンツを再生するための再生モードおよび前記再生モードとは異なるモードで動作させるための制御部を備えるディスク再生装置におけるディスク再生方法であって、
前記異なるモードで動作させる場合には、前記入力部の前記複数キーのうちの所定キー群が操作されたことに応じて与えられる前記指示に基づき、予め提示されている項目を選択する項目選択ステップと、
前記ディスク再生装置を前記再生モードで動作させる場合には、前記再生部の前記動作モードを、前記入力部の前記所定キー群が操作されたことに応じて与えられる前記指示に基づき指定する動作モード制御ステップと、を含み、
前記動作モード制御ステップは、
前記入力部の前記所定キー群が操作されたことに応じて与えられる前記指示に基づき、通常再生モードおよび複数のトリックプレイモード間で前記再生部の前記動作モードの切換え指定をするモード切替ステップを有する、ディスク再生方法。
【発明の詳細な説明】
【技術分野】
【０００１】
この発明はディスク再生装置に関し、特に、再生についてのキー操作を簡略化し、操作キーの削減を図るディスク再生装置および方法に関する。
【背景技術】
【０００２】
近年は、ＤＶＤ（digital versatile disc）装置、ＨＤＤ（Hard disk drive）などの録画機器は、多種多様な機能が搭載されているので、その分操作が複雑なる傾向がある。そのため、リモコン（リモートコントローラの略）のキーの数が多く、初心者のユーザはどのようにキー操作をしてよいのかわかりにくい。また、操作方法がわかった場合であっても操作すべきキーが離れている、また操作が連続している場合であっても、連続でキー操作しにくいなどの煩わしさがあった。このようなキー操作の改善が、特許文献１〜３に示される。
【特許文献１】特開２００４−２５４１１８号公報
【特許文献２】特開２００４−２１５２８１号公報
【特許文献３】特開２００３−２９７０５７号公報
【発明の開示】
【発明が解決しようとする課題】
【０００３】
上述したようなキー操作の煩わしさがあるにもかかわらず、いずれの特許文献も記録媒体の再生に供する機能を操作するためのキー操作の簡略化および操作キーの削減を具体的に提示しない。たとえば特許文献１には、上下左右方向の指示キーを再生モードにおいて記録媒体の再生に供する機能を有した操作キーとして兼用させることもできるとの開示はある。しかしながら、具体的にどのようにして兼用させるかについての記載はない。
【０００４】
また、特許文献２においては、再生モードにおける再生速度の切替が方向キーの操作によって指示されることが記載されている。しかし、再生モード中のさらなるモードの切替キーを方向キーで兼用するとの示唆はなされておらず、方向キーは単に再生速度設定の切替に兼用されているにすぎない。
【０００５】
また、特許文献３には、再生キーを押下した回数とタイミングに応じて、現在再生される画面から目的とする画面まで順方向または逆方向のサーチを実行する機能を提供しているが、上述したような方向キーを兼用することについての示唆はなされていない。
【０００６】
このように従来は、方向指示キーを何らかの動作を指示するためのキーとして兼用することは示唆されるが、如何に兼用するか、または兼用するにしても良好なユーザ操作性も提供するための具体的な提案はされていない。
【０００７】
それゆえにこの発明の目的は、再生モードにおける機能切替えのためのキーとして、他の動作モードで使用されるキーを兼用するディスク再生装置および方法を提供することである。
【課題を解決するための手段】
【０００８】
この発明のある局面に従うディスク再生装置は、ディスクに記録されたコンテンツを指定された動作モードに従い再生する再生部と、指示を入力するために操作される複数キーを有する入力部とを備える。そして、ディスク再生装置を、再生部によりコンテンツを再生するための再生モードおよび再生モードとは異なるモードで動作させるための制御部をさらに備える。
【０００９】
制御部は、異なるモードで動作させる場合には、入力部の複数キーのうちの所定キー群が操作されたことに応じて与えられる指示に基づき、予め提示されている項目を選択する項目選択手段と、ディスク再生装置を再生モードで動作させる場合には、再生部の動作モードを、入力部の所定キー群が操作されたことに応じて与えられる指示に基づき指定する動作モード制御手段とを含む。
【００１０】
動作モード制御手段は、入力部の所定キー群が操作されたことに応じて与えられる指示に基づき、通常再生モードおよび複数のトリックプレイモード間で再生部の動作モードの切替え指定をするモード切替手段を有する。
【００１１】
したがって、再生モードにおける通常再生モードと複数のトリックプレイ間で再生部の動作モードを切替えるためのキーとして、再生モードとは異なる他の動作モードで項目選択のために使用される所定キー群を兼用することができるから、入力部に設けるキー数を少なくできて、入力部のコンパクト化が可能となる。
【００１２】
また、再生モードにおける動作モード切替のための入力部の所定キー群の操作を、異なる動作モードでの項目の選択操作と同じ感覚で行うことができて、所定キー群を兼用するとしてもユーザがキー操作にとまどうのを回避することができる。
【００１３】
好ましくは、再生部のディスクはハードディスクである。
好ましくは、モード切替手段は、所定キー群の第１キーが操作される毎に、所定期間キー操作がされないことを検出する検出手段を含み、検出手段により検出されない場合に、動作モードの切替え指定を実施する。
【００１４】
したがって、再生モードでは、第１キーが操作され、かつ操作後所定期間、何らキー操作がされないとユーザは第１キー操作を確定したと判断できてモード切替を実施できる。これにより、確定しない間は、モード切替は実施されないのでユーザの意図しないモードへの切替を回避できる。
【００１５】
好ましくは、モード切替手段は、第１キーが操作される毎に、通常再生モードおよび複数のトリックプレイモード間で所定順番に従い動作モードの切替え指定を実施する。
【００１６】
したがって、再生モードでは、所定キー群の第１キーを操作する毎に、所定順番で動作モードを通常再生モードおよび複数のトリックプレイモード間で切替えできる。
【００１７】
好ましくは、動作モード制御手段は、再生モードにおいて所定キー群の第２キーが操作されたことに応じて与えられる指示に基づき、再生部の動作を停止させる。
【００１８】
再生モードでは、所定キー群の第２キーを操作するだけで、再生部の動作を動作モードのいかんにかかわらず停止させることができる。
【００１９】
好ましくは、動作モード制御手段は、動作モードが複数のトリックプレイモードのいずれかに切替え指定された場合には、所定キー群の第３キーが操作されたことに応じて与えられる指示に基づき、動作モードを通常再生モードに切替える。
【００２０】
好ましくは、複数のトリックプレイモードには、スキップ再生モードが含まれて、動作モードがスキップ再生モードに切替え指定された場合には、所定キー群の所定種類のキーが操作されたことに応じて与えられる指示に基づき、スキップすべき時間が示される。
【００２１】
したがって、モード切替して動作モードがスキップ再生モードとされた場合には、ユーザは所定種類のキーを操作することで、スキップ時間を指定できる。
【００２２】
好ましくは、動作モード制御手段は、所定種類のキーが操作される毎に、スキップすべき時間を更新する。
【００２３】
好ましくは、複数のトリックプレイモードには、早送りまたは巻戻しモードが含まれて、動作モードが早送りまたは巻戻しモードに切替え指定された場合には、所定キー群の所定種類のキーが操作されたことに応じて与えられる指示に基づき、早送りまたは巻戻しの別と再生速度とが示される。
【００２４】
したがって、モード切替して動作モードが早送りまたは巻戻しモードとされた場合には、ユーザは所定種類のキーを操作することで、早送りまたは巻戻しの別と早送り速度または巻戻し速度を指定できる。
【００２５】
好ましくは、複数のトリックプレイモードには、スロー再生モードが含まれて、動作モードがスロー再生モードに切替え指定された場合には、所定キー群の所定種類のキーが操作されたことに応じて与えられる指示に基づき、再生速度が示される。
【００２６】
したがって、モード切替して動作モードがスロー再生モードとされた場合には、ユーザは所定種類のキーを操作することで、スロー再生のための再生速度を指定できる。
【００２７】
好ましくは、複数のトリックプレイモードには、再生部の動作を一時停止させるための一時停止モードが含まれる。
【００２８】
好ましくは、動作モード制御手段は、モード切替手段により、複数のトリックプレイモードのうちから動作モードに対して切替え指定されたモードを識別する情報を表示する表示手段を有する。
【００２９】
したがって、動作モードが切替えされた場合には、切替えられたモードを識別する情報が表示されるので、ユーザはキー操作する毎に切替えられた動作モードの種別を操作しながら確認できる。
【００３０】
好ましくは、所定キー群のキーは隣接しているから、上述のモード切替指定または再生速度等の指定のキー操作では、入力部の離れたキー同士を操作することはなくなり、操作性は向上する。
【００３１】
好ましくは、所定キー群はカーソル移動のための移動方向の指示キーからなるので、上述のモード切替指定または再生速度等の指定のキー操作をカーソル移動操作と同様な感覚で操作できる。
【００３２】
この発明の他の局面に従うディスク再生方法は、ディスクに記録されたコンテンツを指定された動作モードに従い再生する再生部と、指示を入力するために操作される複数キーを有する入力部と、再生部により前記コンテンツを再生するための再生モードおよび再生モードとは異なるモードで動作させるための制御部を備えるディスク再生装置におけるディスク再生方法であって、異なるモードで動作させる場合には、入力部の複数キーのうちの所定キー群が操作されたことに応じて与えられる指示に基づき、予め提示されている項目を選択する項目選択ステップと、ディスク再生装置を再生モードで動作させる場合には、再生部の動作モードを、入力部の所定キー群が操作されたことに応じて与えられる指示に基づき指定する動作モード制御ステップと、を含み、動作モード制御ステップは、入力部の所定キー群が操作されたことに応じて与えられる指示に基づき、通常再生モードおよび複数のトリックプレイモード間で再生部の動作モードの切換え指定をするモード切替ステップを有する。
【発明の効果】
【００３３】
本発明によれば、再生部の再生モードにおける動作モードを、通常再生モードと複数のトリックプレイ間で切替えて、機能を切替えるためのキーとして、再生モードとは異なる他の動作モードで項目選択のために使用される所定キー群を兼用することができる。それゆえ、入力部に設けるキー数を少なくできて、入力部のコンパクト化が可能となる。
【００３４】
また、再生モードにおける動作モード切替のための入力部の所定キー群の操作と、異なる動作モードでの項目の選択操作とを共通化できて、所定キー群を兼用するとしてもユーザがキー操作にとまどうのを回避することができる。
【００３５】
また所定キー群のキー操作で通常再生モードと複数のトリックプレイ間で切替えと、トリックプレイにおける再生速度または時間の指定、さらには動作の一時停止指定も可能であるから、これら指定を操作キーを所定キー群に限定できてユーザは操作しやすくなる。また、所定キー群は入力部において隣接して設けられるから、離れたキーを操作するという煩わしさを回避できる。特に、操作が連続している場合（モード切換えして、続いてスロー再生速度やスキップ時間を指定する場合）は、キーが隣接しているので操作し易くなり、速やかな指定が可能となる。
【発明を実施するための最良の形態】
【００３６】
以下、この発明の実施の形態について図面を参照し詳細に説明する。本実施の形態では、ディスク再生装置を例示するが、記録機能も有したディスク記録再生装置であっても同様に適用することができる。また、再生対象のディスクは、映像または映像と音声が記録されたディスクに限定されず、音楽データのみが記録されたディスクであってもよい。また、媒体はディスクに限定されず、テープ状であってもよい。
【００３７】
図１には本実施の形態に係るディスク再生装置１００の構成が示される。ディスク再生装置１００は、マイクロコンピュータなどからなり、ディスク再生装置１００の各部を集中的に制御および管理するための制御部１１０を備える。制御部１１０はＣＰＵ（Central Processing Unit）１１１および各種データおよびプログラムを格納するメモリ１５０を有する。メモリ１５０に格納されるデータには、ディスク再生装置の現在の動作モードを示すモードデータ１５１、表示メッセージのためのデータ１５２、スキップ再生におけるスキップ時間を示すスキップ時間データＴ、早送り再生または早戻し（巻戻し）再生の場合の再生速度を示す速度データＲ１、およびスロー再生の場合の再生速度を示すスロー速度データＲ２が含まれる。
【００３８】
さらに、ディスク再生装置１００は、外部から与えられる指示入力信号１３１を入力して、データに変換して制御部１１０に与える入力部１３４、赤外線変調されたリモコン信号１２１を受信して、受信したリモコン信号１２１を復調して復調結果に基づくリモコンコードを制御部１１０に出力する赤外線受光部１２０、時間を計時して、時間データを制御部１１０に与える計時回路１２６、ＨＤＤ１４０、外部からＤＶＤ１４２が着脱自在に装着されて、装着されたＤＶＤ１４２について情報をアクセスするためのＤＶＤドライバ１４１を備える。
【００３９】
さらにディスク再生装置１００は、ＨＤＤ１４０から、またはＤＶＤドライバ１４１を介してＤＶＤ１４２から読出されたオーディオデータを入力し、デコードして出力するオーディオデコーダ１６４、オーディオデコーダ１６４から出力されたデータを入力しアナログ信号に変換して外部のスピーカ１７２に与えるＤ／Ａ（digital/analog）変換部１６５を備える。スピーカ１７２からはＨＤＤ１４０またはＤＶＤ１４２から読出された音声データによる音声が出力される。
【００４０】
さらにディスク再生装置１００は、ＨＤＤ１４０から、またはＤＶＤドライバ１４１を介してＤＶＤ１４２から読出された映像データを入力し、ＭＰＥＧ（motion picture experts group）に従ってデコードして出力するＭＰＥＧデコーダ１６１、ＭＰＥＧデコーダ１６１から出力されたデータをアナログ信号に変換するＤ／Ａ変換部１６３を有する合成部１６２、合成部１６２に対してＯＳＤ（on screen display）画像のためのＯＳＤ画像データを生成して出力するＯＳＤ画像生成部１８０を備える。ＯＳＤ画像生成部１８０は、制御部１１０から与えられるデジタルデータに基づき絵や文字などのＯＳＤ画像データを生成し、生成した画像データを合成部１６２に与える。合成部１６２は、ＯＳＤ画像生成部１８０から画像データが与えられる間は、当該画像データとＭＰＥＧデコーダ１６１から入力する映像データとを合成して出力するが、ＯＳＤ画像生成部１８０から画像データが与えられていない場合には、ＭＰＥＧデコーダ１６１から入力した映像データをそのまま出力する。Ｄ／Ａ変換部１６３は、合成部１８０から出力されたデータを入力してアナログ信号に変換した後に表示部１７０に出力するので、表示部１７０には与えられる信号に基づく画面が表示される。表示部１７０においては、ＯＳＤ画像生成部１８０から画像データが出力されていない場合には、ＨＤＤ１４０またはＤＶＤ１４２から再生された映像のみが表示されるが、ＯＳＤ画像生成部１８０から画像データが出力される場合には、再生された映像にＯＳＤ画像が重畳して表示される。
【００４１】
図２を参照して、リモコン信号１２１をディスク再生装置１００に送信するリモコン２００は、赤外線発光部２６０、液晶などからなる表示部２７０、およびキー部２１３（図３参照）を含む。
【００４２】
キー部２１３は、ディスク再生装置１００の電源をオン／オフするためのスイッチ２２５、動作を停止させるために操作されるスイッチ２２７、上下左右の方向キー１２Ｕ、１２Ｄ、１２Ｌおよび１２Ｒ、操作内容を決定するための決定キー２２４、再生対象の記録媒体をＨＤＤ１４０に指定するために操作されるキー２２８またはＤＶＤ１４２に指定するために操作されるキー２２９、ディスク再生装置１００のモードを切替えるため操作されるキー２３８、ＨＤＤ１４０またはＤＶＤ１４２に記録されたコンテンツのタイトル一覧を表示するために操作されるキー２２６、音量を調節するために操作されるキー２１８および各種情報を入力するために操作されるテンキー２０６を備える。上下左右の方向キー１２Ｕ、１２Ｄ、１２Ｌおよび１２Ｒは一般に表示部１７０に表示のカーソルの移動方向を指定して移動させるためのキーであり、当該カーソル移動により表示された項目を選択することができる。
【００４３】
図３を参照してリモコン２００の内部には、リモコン２００の各部の動作を制御するためのマイクロコンピュータなどからなる制御部２１０、キー部２１３、キー部２１３の各キーに応じたリモコンコードを格納しているメモリ部２１１、表示部２７０および赤外線発光部２６０を備える。制御部２１０は、キー部２１３でキーの操作がなされると、操作されたキーに対応のリモコンコードを、メモリ部２１１から読出す。そして制御部２１０は読出したリモコンコードに基づき赤外線発光部２６０を制御するので、赤外線発光部２６０からは、リモコンコードに応じて赤外線変調されたリモコン信号１２１が出力される。
【００４４】
図４には、ディスク再生装置１００を含んだシステムの外観が示される。ディスク再生装置１００は、前面パネルにおいてＤＶＤ１４２が挿入される部分１４、赤外線受光部１２０、ならびにユーザにより操作されるキー１３３およびキー部１３０を備える。キー１３３はリモコン２００のキー２２６に対応する。キー部１３０は、リモコン２００のスイッチ２２５に対応のスイッチ１３５、スイッチ２２７に対応のスイッチ１３２、上下左右の方向キー１２Ｕ、１２Ｄ、１２Ｌおよび１２Ｒに対応のキー１３Ｕ、１３Ｄ、１３Ｌおよび１３Ｒ、リモコン２００のキー２２４に対応のキー１３を含む。キー部１３０のキーまたはキー１３３を操作したことにより当該キーに対応の指示入力１３１が入力部１３４に出力される。また、ディスク再生装置１００には、ケーブルを介してテレビジョン受像機１０１が接続される。テレビジョン受像機１０１は表示部１７０およびスピーカ１７２を備える。ここでは、ディスク再生装置１００とテレビジョン受像機１０１とはケーブルで接続されるとしたが、無線により接続されるとしてもよい。
【００４５】
なお、ディスク再生装置１００に対するユーザの指示は指示入力１３１またはリモコン信号１２１により与えられる。
【００４６】
図５には、たとえばＨＤＤ１４０に格納されたコンテンツのタイトルの一覧が表示部１７０に表示された状態が示される。ＣＰＵ１１１は、キー２２６が操作されたことによるリモコン信号１２１またはキー１３３が操作されたことによる指示入力１３１の指示に基づき、ＤＶＤ１４２またはＨＤＤ１４０から、記録された各種コンテンツのタイトルを読出し、ＯＳＤ画像生成部１８０および合成部１６２を介して表示部１７０に図５のような画面を表示する。図５の画面では、ＤＶＤ１４２またはＨＤＤ１４０に記録されたコンテンツのタイトルが一覧表示される。そして、画面の下段にはメッセージ１７３も併せて表示される。メッセージ１７３は、ユーザに対してリモコン２００の方向キーまたはキー部１３０の方向キーを操作することにより図５の画面中のカーソルＣＲを移動させてタイトル一覧の中から所望のタイトル（コンテンツ）を選択するよう促す内容を示す。
【００４７】
ディスク再生装置１００の動作を、図６〜図１１のフローチャートに従い説明する。当該フローチャートに従う手順はプログラムとしてメモリ１５０に予め格納されており、ＣＰＵ１１１がプログラムを読出し、実行することにより、図６〜図１１に示された機能が実現される。以降は、再生対象の媒体をＨＤＤ１４０として、ユーザはリモコン２００を操作して指示する場合を想定し説明するが、ＤＶＤ１４２を再生対象としても、またキー部１３０を操作して指示するとしても、以下の手順は同様に適用できる。
【００４８】
（再生コンテンツの選択）
まず、再生対象となるコンテンツを方向キーを操作して選択する手順について図６を参照して説明する。
【００４９】
まず、ユーザはスイッチ２２５を操作して、ディスク再生装置１００の電源をＯＮすると、続いてタイトル一覧表示のためにキー２２６を操作するので、表示部１７２には図５のタイトル一覧が表示される（ステップＴ（以下、ステップは略す）１、Ｔ３）。ユーザは、メッセージ１７３に従い方向キー１２Ｕ、１２Ｄ、１２Ｌおよび１２Ｒを操作して所望のタイトルを選択する（Ｔ５）。選択されなければ（たとえば、計時回路１２６の計時結果に基づき一定時間方向キーが操作されなければ）、一連の処理は終了する。
【００５０】
一方、選択の操作がされると、次に決定キー２２４が操作されたか否かが判定される（Ｔ７）。決定キー２２４が操作されない間は、Ｔ５の方向キーの操作（タイトル選択）の有無が判定される。決定キー２２４が操作されると（Ｔ７でＹＥＳ）、決定キー２２４が操作された時点で選択されているタイトルが再生対象のタイトルとして決定される（Ｔ７でＹＥＳ）。その後、ユーザにより再度決定キー２２４が押下されると、すなわち選択したコンテンツの再生スタートが指示されると（Ｔ９でＹＥＳ）、再生モードに移行する。再生スタートが指示されなければ（Ｔ９でＮＯ）、一連の処理は終了する。
【００５１】
ここでは、処理Ｔ５およびＴ９で、タイトルの選択がされなかった、または再生スタートが指示されなかった場合は、一連の処理は終了するとしているが、何らかのエラー処理（適当な操作を促すためのメッセージ表示）をして、適当な操作がされなければ処理を終了するようにしてもよい。
【００５２】
このように、再生コンテンツの選択モードでは、方向指示キーは提示されている複数のコンテンツ（項目）から所望コンテンツの選択指示を入力するための機能を有する。
【００５３】
（再生モード）
ディスク再生装置１００は、上述の再生コンテンツ選択モードとは異なる再生モードにおいて動作する場合には、方向指示キーは再生モードにおいて予め準備された複数のトリックプレイモードの切替えを指示するキーとしての機能を有する。当該機能を図７を参照して説明する。
【００５４】
再生モードに移行すると、まず、ＣＰＵ１１１は、ＨＤＤ１４０を制御して選択されたタイトルのコンテンツデータを読出す。読出されたコンテンツデータのうち、映像データはＭＰＥＧデコーダ１６１および合成部１６２を介して表示部１７０に表示され、また音声データはオーディオデコーダ１６４に与えられ、Ｄ／Ａ変換部１６５を介してスピーカ１７２において音声出力される（ステップＳ（以下、ステップは略す）１）。ステップＳ１の通常再生モードとなったとき、ＣＰＵ１１１はメモリ１５０のモードデータ１５１を‘通常再生モード’を指示するように更新する。通常再生モードでは、ＨＤＤ１４０のコンテンツに対応して予め記録された通常のデータ読出速度に従いデータが読出される。
【００５５】
その後、ＣＰＵ１１１は、リモコン２００の下方向キー１２１Ｄが長押しされたか否か、たとえば３秒押下されたか否かを、計時回路１２６の計時時間を参照して判定する（Ｓ３）。リモコン２００からはキーを操作している期間はリモコン信号１２１が継続して送信されるので、同一のリモコンコードのリモコン信号１２１が３秒間継続して受信された場合には、長押しされたことを判定する。この判定のための３秒間は、人間の反射速度に照らした期間であり、３秒間同じキーを操作しつづけた場合には、ユーザは当該キー操作を確定していると判断できる。
【００５６】
下方向キー１２１Ｄが長押しされたと判定されると（Ｓ３でＹＥＳ）、ＣＰＵ１１１は、再生動作の停止が指示されたと判定して、ＨＤＤ１４０に指示して再生動作（すなわちコンテンツデータ読出し）を停止させる（Ｓ５）。これにより、ＨＤＤ１４０の駆動は停止する。またＣＰＵ１１１は、モードデータ１５１を‘停止’を指示するように更新する。その後、処理は終了する。
【００５７】
一方、長押しが判定されなければ（Ｓ３でＮＯ）、ユーザが上方向キー１２Ｕを操作したか否かが判定される（Ｓ７）。操作していなければ、Ｓ４３の処理に移行して、再生が終了するか否かを判定する。終了しないのであれば（Ｓ４３でＮＯ）、ＯＳＤ画像生成部１８０を介して画面にメッセージデータ１５２によるメッセージが表示されていれば（Ｓ４５でＹＥＳ）当該メッセージを消去して（ＣＰＵ１１１はＯＳＤ画像生成部１８０に対するメッセージデータ１５２の出力を停止して）（Ｓ４７）、Ｓ１に戻り、通常再生が継続する。メッセージが表示されていなければ（Ｓ４５でＮＯ）Ｓ４７をスキップして、Ｓ１に戻る。一方、再生の終了が判定されると（Ｓ４３でＹＥＳ）、一連の再生動作は終了する。
【００５８】
Ｓ４３においては、再生対象のコンテンツの終端を示すマーク（ＥＯＦ（end of file））がＨＤＤ１４０から読出されたこと、またはユーザによりキー２２７が操作されたことに基づき、再生動作の終了が判定される。
【００５９】
一方、上方向キー１２Ｕが操作されたと判定されると（Ｓ７でＹＥＳ）、ＣＰＵ１１１は、メモリ１５０のメッセージのデータ１５２に基づきＯＳＤ画像生成部１８０を介して表示部１７０の再生画面（図１２の画面１０Ａを参照）において“スキップ”の文字１４Ａを表示する（Ｓ９）。その後、Ｓ７で上方向キー１２Ｕが押下されてから何らキー操作がされずに３秒間経過したか否かが計時回路１２６から出力されるデータに基づき判定される（Ｓ１１）。もし、３秒間経過したのであれば（Ｓ１１でＹＥＳ）、スキップモード（Ｓ１３）に移行して、モードデータ１５１は‘スキップモード’を指示するように更新される。このスキップモードの処理については後述する。
【００６０】
次に、上方向キー１２Ｕが操作されてから３秒間のうちに何らかのキー操作がされた場合には、操作されたキーは上方向キー１２Ｕであるか否かが判定される（Ｓ１５）。上方向キー１２Ｕが操作されたと判定されなければ（Ｓ１５でＮＯ）、前述したＳ４３以降の処理が行なわれるが、上方向キー１２Ｕが操作されたと判定されると（Ｓ１５でＹＥＳ）、ＣＰＵ１１１はメモリ１５０のメッセージのデータ１５２に基づきＯＳＤ画像生成部１８０を介して、“早送り・早戻し”の文字１５Ａを再生されている映像に重畳して表示部１７０の画面（図１２の画面１１Ａを参照）において表示する（Ｓ１７）。その後、前述と同様に３秒間キー操作がなされずに経過したか否かが判定される（Ｓ１９）。キー操作がなされなければ、後述する早送り・早戻しモード（Ｓ２１）に移行する。
【００６１】
Ｓ１５で上方向キー１２Ｕが操作されてから３秒間のうちにキー操作がなされた場合には（Ｓ１９でＮＯ）、Ｓ２３の処理が行なわれる。
【００６２】
Ｓ２３では操作されたキーは上方向キー１２Ｕであるか否かが判定される。上方向キー１２Ｕが操作されたことが判定されなければ（Ｓ２３でＮＯ）、Ｓ４３以降の処理が同様に繰返されるが、操作されたと判定されると（Ｓ２３でＹＥＳ）、ＣＰＵ１１１は、メモリ１５０のメッセージのデータ１５２に基づきＯＳＤ画像生成部１５０を介して表示部１７０の画面（図１２の画面１２Ａを参照）に“スロー再生”の文字１６Ａを表示する（Ｓ２５）。その後、３秒間何らキー操作がなされないか否かを判定する（Ｓ２７）。キー操作がなされなければ（Ｓ２７でＹＥＳ）、後述のスロー再生モード（Ｓ２９）に移行して、モードデータ１５１は‘スロー再生モード’を指示するように更新される。
【００６３】
Ｓ２３で上方向キー１２Ｕが操作されてから３秒間のうちにキー操作が検出された場合は、操作されたキーは上方向キー１２Ｕであるか否かが判定される（Ｓ３１）。上方向キー１２Ｕが操作されなければ（Ｓ３１でＮＯ）、Ｓ４３以降の処理が繰返されるけれども、操作されれば（Ｓ３１でＹＥＳ）、ＣＰＵ１１１は、メッセージのデータ１５２に基づきＯＳＤ画像生成部１５０を介して表示部１７０に表示されている画面（図１２の画面１３Ａを参照）の一部に“一時停止”の文字１７Ａを表示する（Ｓ３３）。
【００６４】
Ｓ３１のキー操作後、決定キー２２４が操作されたか否かが判定される（Ｓ３５）。決定キー２２４の操作があれば、一時停止モードに移行して、モードデータ１５１は‘一時停止モード’を指示するように更新される（Ｓ３７）。一時停止モードではＨＤＤ１４４のディスクの回転は継続しているが、ヘッドがデータの読出しを停止している状態をいう。したがって、一時停止モードが解除されると、速やかに再生モードなど、他のモードに移行できる。
【００６５】
そして、Ｓ３５で決定キー２２４が操作がされない場合には（Ｓ３５でＮＯ）、上方向キー１２Ｕが操作されたか否かが判定される（Ｓ３９）。上方向キー１２Ｕの操作がされたのであれば（Ｓ３９でＹＥＳ）、ＣＰＵ１１１は、ＯＳＤ画像生成部１５０を介して表示部１７０に表示されたＯＳＤによる文字（メッセージ）を消去する（Ｓ４１）。その後、Ｓ４３の処理に移行する。上方向キー１２Ｕの操作がされなければ（Ｓ３９でＮＯ）、Ｓ４３の処理に移行する。
【００６６】
このように再生モードにおいて、上方向キー１２Ｕを操作する毎に、スキップ、早送り・早戻し、スロー再生および一時停止とモードを順番に移行させることができる。また、移行したモードを識別するメッセージ（文字）を再生されているコンテンツの映像を表示する画面において表示することができる。
【００６７】
（スキップモード）
次にスキップモード（Ｓ１３）について図８を参照し説明する。スキップモードに移行すると、ＣＰＵ１１１はユーザにより右方向キー１２Ｒまたは左方向キー１２Ｌの操作がされるか否かを判定する（ステップＡ（以下、単にＡと略す）５）。これらキーの操作はなく、その他のキーの操作がされたと判定されると（Ａ５で‘その他’）、Ａ５の処理を繰返す。このとき、正しいキー（左方向キーまたは右方向キー）操作を促すメッセージを表示した後にＡ５の処理に戻るようにしても良い。
【００６８】
左方向キー１２Ｌまたは右方向キー１２Ｒが操作されたと判定されると（Ａ５で‘左方向キー’または‘右方向キー’）、後述のようにスキップ時間が指定されて、ＣＰＵ１１１は指定されたスキップ時間をメモリ１５０のスキップ時間データＴ１に設定して（Ａ７、Ａ９）、図１２の画面２０Ａのように設定されたスキップ時間データＴ１に基づくメッセージ１４１をＯＳＤ画像生成部１５０を介して表示部１７０において表示する（Ａ１１）。
【００６９】
その後、キー操作がないまま３秒間経過したか否かが判定される（Ａ１３）。３秒間経過しないうちに何らかのキー操作があれば（Ａ１３でＮＯ）、Ａ１の処理に移行する。一方、何らのキー操作もなく３秒間が経過すると（Ａ１３でＹＥＳ）、ＣＰＵ１１１は、スキップ時間データＴ１に従いスキップ再生するようにＨＤＤ１４０に指示する。これによりスキップ再生（Ａ１５）が行なわれる。つまり、ＨＤＤ１４０は現在のデータ読出位置から、スキップ時間データＴ１に相当する量のデータを読飛ばす（スキップする）。なお、ステップＡ１３では決定キー２２４が操作されるか否かを判定の条件として、決定キー２２４が操作された場合にスキップ再生が行なわれるようにしてもよい。
【００７０】
スキップ再生が終了すると一旦再生モードに戻り表示メッセージは消去される。スキップ再生終了してからキー操作がないまま３秒間経過した場合には（Ａ１７でＹＥＳ）、元のＳ１の通常再生モードに戻るが、３秒間の内に決定キー２２４操作されると（Ａ１９でＹＥＳ）、再度、ステップＡ１１と同様なメッセージが表示されて（Ａ２１）、スキップ再生（Ａ１５）が行なわれる。このように、スキップモードに移行すると決定キー２２４を操作するごとに同様なスキップ再生（Ａ１５）を繰返し実行できる。
【００７１】
一方、３秒間の内に決定キー２２４が操作されないと（Ａ１９でＮＯ）、元のＳ１の通常再生モードに戻る。
【００７２】
スキップモードにおけるスキップ時間の指定は次のように行なわれる。つまり、ステップＡ７とＡ９の処理では、左方向キー１２Ｌまたは右方向キー１２Ｒが操作されるごとに、スキップ時間（スキップ時間データＴ）が更新される。具体的には、ステップＡ９で右方向キー１２Ｒが操作されるごとに、設定されるスキップ時間は１５秒→３０秒→１分→５分→１５秒→３０秒…と順番に変化する。また、左方向キー１２Ｌが操作されるごとに、設定されるスキップ時間は１５秒→５分→１分→３０秒→１５秒→５分→…と、右方向キー１２Ｒを操作する場合とは逆方向に順番に変化する。
【００７３】
（早送り・早戻しモード）
図９を参照して、早送り・早戻しモードについて説明する。早送り・早戻しモードに移行すると、ＣＰＵ１１１はユーザにより右方向キー１２Ｒまたは左方向キー１２Ｌの操作がされるか否かを判定する（ステップＢ（以下、単にＢと略す）５）。これらキーの操作はなく、その他のキーの操作がされたと判定されると（Ｂ５で‘その他’）、適当なキー操作（右方向キー１２Ｒまたは左方向キー１２Ｌ）の操作がされるまでＡ５の処理を繰返す。なお、‘その他キー’が操作されたときは適当なキー操作を促すメッセージを表示してもよい。
【００７４】
早戻しのための左方向キー１２Ｌまたは早送りのための右方向キー１２Ｒが操作されたと判定されると（Ｂ５で‘左方向キー’または‘右方向キー’）、指定された早送りまたは早戻しの速度がＣＰＵ１１１によりメモリ１５０の速度データＲ１に設定されて、モードデータ１５１は指定された‘早戻し’または‘早送り’を指示するように更新される（Ｂ７、Ｂ９）。そして、設定された速度がＯＳＤ画像生成部１５０を介して表示部１７０において表示される（Ｂ１１）。ここでは、図１２の画面２１Ａのように設定された速度のメッセージ１５５ＢがＯＳＤ画像生成部１５０を介して表示部１７０において表示される。画面２１は、ステップＢ５で右方向キー１２Ｒが操作（早送りが指定）された場合の例である。
【００７５】
その後、キー操作がないまま３秒が経過したか否かが判定される（Ｂ１３）。３秒経過しないうちに何らかのキー操作があれば（Ｂ１３でＮＯ）、Ｂ５の処理に移行する。一方、何らのキー操作もなく３秒間が経過すると（Ｂ１３でＹＥＳ）、ＣＰＵ１１１は、速度データＲ１とモードデータ１５１に従い、再生するようにＨＤＤ１４０に指示する。これにより早送りまたは早戻し再生（Ｂ１５）が行なわれる。
【００７６】
早送り・早戻し再生中においてＣＰＵ１１１は、右方向キー１２Ｒの長押しがされたか否かを判定する（Ｂ１７）。長押しされたと判定すると（Ｂ１７でＹＥＳ）、早送り・早戻しモードを抜けて、Ｓ１の通常再生モードに移行する。右方向キー１２Ｒの長押しはされないと判定されると（Ｂ１７でＮＯ）、下方向キー１２Ｄの短押しがされたか否かを判定する（Ｂ１９）。短押しは、計時回路１２６の計時データを参照しながら同一リモコンコードのリモコン信号１２１が３秒間未満継続して受信したことに基づき判定される。短押しがされたと判定されると（Ｂ１９でＹＥＳ）、メッセージは消去されて（Ｂ２０）、ＣＰＵ１１１はＨＤＤ１４０に指示してデータの読出し動作を一時停止させるので、再生の動作は一時停止する（Ｂ２１）。このとき、ＣＰＵ１１１によりモードデータ１５１は‘一時停止’を指示するように更新される。
【００７７】
一方、下方向キー１２Ｄの短押しと判定されない場合には（Ｂ１９でＮＯ）、ユーザにより下方向キー１２Ｄの長押しがされたか否かを判定する（Ｂ２３）。長押しがされたと判定されると（Ｂ２３でＹＥＳ）、メッセージは消去されて（Ｂ２４）、ＣＰＵ１１１はＨＤＤ１４０に指示してデータの読出し動作を停止させるので、再生の動作は停止し（Ｂ２５）、一連の処理を終了する。このとき、モードデータ１５１は‘停止’を指示するように更新される。
【００７８】
一方、下方向キー１２Ｄの長押しがされない場合には（Ｂ２３でＮＯ）、早送りの場合にはコンテンツの終端データまで、また早戻しの場合にはコンテンツの先頭データまでデータの読出しがされたか否かに基づき、早送り・早戻しが終了したか否かが判定される（Ｂ２７）。終了したと判定されない間は（Ｂ２７でＮＯ）、Ｂ１５に戻り早送り・早戻しが継続するが、終了と判定されると（Ｂ２７でＹＥＳ）、メッセージは消去されて（Ｂ２８）、一連の再生処理は終了する。
【００７９】
ステップＢ７とＢ９の処理では、早送り・早戻しのモードデータ１５１と速度データＲ１の設定は次のように行なわれる。つまり、左方向キー１２Ｌまたは右方向キー１２Ｒが操作されるごとに、データ読出し速度が、すなわちＨＤＤ１４０により単位時間に読出されるべきデータ量が更新される。具体的には、ステップＢ９で右方向キー１２Ｒが操作されるごとに、設定される速度は、ＨＤＤ１４０における再生対象のコンテンツの現在データ読出位置から当該コンテンツの終端データ方向に、通常再生のデータ読出し速度に対して２倍→８倍→３２倍→１２８倍→２倍→８倍…と順番に変化する。また、左方向キー１２Ｌが操作されるごとに、設定される速度は、ＨＤＤ１４０における再生対象のコンテンツの現在データ読出位置から当該コンテンツの先頭データ方向に、通常再生のデータ読出し速度に対して２倍→８倍→３２倍→１２８倍→２倍→８倍…と順番に変化する。
【００８０】
（スロー再生モード）
図１０を参照してスロー再生モードについて説明する。スロー再生モードに移行すると、ＣＰＵ１１１はユーザにより、右方向キー１２Ｒまたは左方向キー１２Ｌの操作がされるか否かを判定する（ステップＣ（以下、単にＣと略す）５）。これらキーの操作はなく、その他のキーの操作がされたと判定されると（Ｃ５で‘その他’）、Ｃ５の処理に戻る。このとき適当なキー（左方向キー１２Ｌまたは右方向キー１２Ｒ）を操作するように促すメッセージを表示してＣ５の処理に戻るようにしてもよい。
【００８１】
一方、再生速度を遅くするための左方向キー１２Ｌまたは右方向キー１２Ｒが操作されたと判定されると（Ｃ５で‘左方向キー’または‘右方向キー’）、再生速度がＣＰＵ１１１によりメモリ１５０のスロー速度データＲ２に設定されて（Ｃ７、Ｃ９）、設定された速度を示すメッセージがＯＳＤ画像生成部１５０を介して表示部１７０において表示される（Ｃ１１）。ここでは、図１２の画面２２Ａのように設定されたスロー再生速度のメッセージ１６１ＡがＯＳＤ画像生成部１５０を介して表示部１７０において表示される。画面２２Ａは、再生速度が、すなわち単位時間当たりに読出すデータ量が、通常再生の場合の１／２倍に設定されたことが指示される。
【００８２】
その後、キー操作がないまま３秒間経過したか否かが判定される（Ｃ１３）。３秒間経過しないうちに何らかのキー操作があれば（Ｃ１３でＮＯ）、Ｃ５の処理に移行する。一方、何らのキー操作もなく３秒間が経過すると（Ｃ１３でＹＥＳ）、ＣＰＵ１１１は、スロー速度データＲ２に従う速度で再生（データ読出し）をするようにＨＤＤ１４０に指示する。これにより指定速度に従うスロー再生（Ｃ１５）が行なわれる。つまり、ＨＤＤ１４０は現在のデータ読出位置から、スロー速度データＲ２に従う速度に従いデータの読出しを開始する。
【００８３】
スロー再生中においてＣＰＵ１１１は、右方向キー１２Ｒの長押しがされたか否かを判定する（Ｃ１７）。長押しされたと判定すると（Ｃ１７でＹＥＳ）、スロー再生モードを抜けて、Ｓ１の通常再生モードに移行する。右方向キー１２Ｒの長押しはされないと判定されると（Ｃ１７でＮＯ）、下方向キー１２Ｄの短押しがされたか否かを判定する（Ｃ１９）。短押しがされたと判定されると（Ｃ１９でＹＥＳ）、メッセージは消去されて（Ｃ２０）、ＣＰＵ１１１はＨＤＤ１４０に指示してデータの読出し動作を一時停止させるので、再生の動作は一時停止する（Ｃ２１）。このとき、ＣＰＵ１１１によりモードデータ１５１は‘一時停止’を指示するように更新される。
【００８４】
一方、下方向キー１２Ｄの短押しと判定されない場合には（Ｃ１９でＮＯ）、ユーザにより下方向キー１２Ｄの長押しがされたか否かを判定する（Ｃ２３）。長押しがされたと判定されると（Ｃ２３でＹＥＳ）、メッセージは消去されて（Ｃ２４）、ＣＰＵ１１１はＨＤＤ１４０に指示してデータの読出し動作を停止させるので、再生の動作は停止し（Ｃ２５）、一連の処理を終了する。このとき、モードデータ１５１は‘停止’を指示するように更新される。
【００８５】
一方、下方向キー１２Ｄの長押しがされない場合には（Ｃ２３でＮＯ）、コンテンツの終端データまでデータの読出しがされたか否かに基づき、スロー再生が終了したか否かが判定される（Ｃ２７）。終了したと判定されない間は（Ｃ２７でＮＯ）、Ｃ１５に戻りスロー再生が継続するが、終了と判定されると（Ｃ２７でＹＥＳ）、メッセージは消去されて（Ｃ２８）、一連の再生処理は終了する。
【００８６】
再生モードにおけるスロー速度データＲ２は次のように指定される。つまり、ステップＣ７とＣ９の処理では、左方向キー１２Ｌまたは右方向キー１２Ｒが操作されるごとに、データ読出し速度が、すなわち単位時間に読出されるデータ量が更新される。具体的には、ステップＣ９で右方向キー１２Ｒが操作されるごとに、ＨＤＤ１４０における再生対象のコンテンツのデータの読出し速度は、通常再生のデータ読出し速度に対して１／２倍→１／４倍→１／８倍→１／２倍→１／４倍→１／８倍…と順番に変化する。また、左方向キー１２Ｌが操作されるごとに、設定される速度は、通常再生のデータ読出し速度に対して１／８倍→１／４倍→１／２倍→１／８倍→１／４倍→１／２倍…と右方向キー１２Ｒのそれとは逆の順番に変化する。
【００８７】
このように図９の早送り・早戻し再生モードおよび図１０のスロー再生モードでは、方向指示キーを、図８のスキップ再生モードと同様に操作することにより、各モードを実施するためのパラメータを決定することができる。
【００８８】
（一時停止モード）
図１１を参照して一時停止モードについて説明する。図１１では、一時停止モード（ステップＤ（以下、単にＤと略す）１）に移行すると、ＣＰＵ１１１によりリモコン信号１２１に基づきキー操作があるか否かが判定される（Ｄ３）。キー操作がなければ、Ｄ１に戻り、一時停止を継続する。一方、何らかのキー操作があれば（Ｄ３でＹＥＳ）、そのキー操作は右方向キー１２Ｒまたは下方向キー１２Ｄまたはその他のキーであるか否かが判定される（Ｄ５）。その他のキーであれば（Ｄ５で‘その他’）、Ｄ１に戻る。このとき、適当なキー（右方向キー１２Ｒまたは下方向キー１２Ｄ）の操作を促すメッセージを表示しても良い。
【００８９】
一方、右方向キーであった場合には（Ｄ５で‘右キー’）、右方向キー１２Ｒの長押しであるか否かが判定される（Ｄ７）。長押しでなければ（Ｄ７でＮＯ）、Ｄ１に戻る。
【００９０】
長押しであれば（Ｄ７でＹＥＳ）、ＣＰＵ１１１は、ＨＤＤ１４０に一時停止を解除して通常再生に戻るよう指示するので、ＨＤＤ１４０は通常再生モードに移行する（Ｓ１）。
【００９１】
一方、下方向キー１２Ｄが操作されたと判定されると（Ｄ５で‘下キー’）、下方向キー１２Ｄの短押しか否かが判定される（Ｄ９）。短押しでない、すなわち長押しと判定されると（Ｄ９でＮＯ）、一時停止は解除されて再生の停止モードに移行する（Ｄ１０）。このときモードデータ１５１は‘停止’を指示するように更新されて、一連の処理が終了する。一方、短押しと判定されると（Ｄ９でＹＥＳ）、Ｄ１に戻り一時停止状態が継続する。
【００９２】
本実施の形態では、所定キー操作をしてから何らのキー操作もなく３秒間経過した場合には、所定キー操作による操作内容を決定するように動作しているが、必ずしも３秒間待たなくてもよい。たとえば、３秒間経過に代替して、所定キー操作後に決定キー２２４が操作された場合には、所定キー操作による操作内容を決定するように動作してもよい。
【００９３】
以上のように、図５の画面でのコンテンツのタイトル選択に用いた方向指示キーの上方向キー１２Ｕを、再生モードでは通常再生モードおよび各種トリックプレイモード（スキップモード、早送り・早戻しモード、スロー再生モード、一時停止モード）のモード間の切替えに兼用することができ、また、左方向キー１２Ｌと右方向キー１２Ｒを各種トリックプレイモードにおいてはパラメータ（再生速度、再生する方向（コンテンツの先頭データの方向・終端データの方向の別）・スキップ時間）の指定に兼用することができる。したがって、方向指示キーが再生モードの機能切替えキーとして兼用されることにより、リモコン２００に再生モードの機能切替えキーを専用で設ける必要なくなり、リモコン２００はコンパクトになる。また、方向指示キー群の複数キーは、図２または図４に示すように隣接して設けられるから、上述のモード切替操作またはパラメータ指定操作においては、離れたキーを操作する煩わしさを解消できる。
【００９４】
またトリックプレイモードを含む再生モードでは下方向キー１２Ｄの長押しにより現在の動作モードを抜けて再生動作を強制的に終了させることができる。また、スキップモードを除くトリックプレイモードでは右方向キー１２Ｒの長押しにより現在の動作モードを抜けて通常再生モードに強制的に移行させることができる。したがって、再生モードでは簡単なキー操作で所望のモードに強制的に移行させることができて、操作性に優れる。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９６】
【図１】この発明の実施の形態に係るディスク再生装置の構成図である。
【図２】本発明の実施の形態に係るリモコンの操作面を示す図である。
【図３】本発明の実施の形態に係るリモコンの内部構成図である。
【図４】本発明の実施の形態に係るシステム全体の概観を示す図である。
【図５】本発明の実施の形態に係る表示画面例を示す図である。
【図６】本発明の実施の形態に係るタイトル選択のフローチャートである。
【図７】本発明の実施の形態に係る再生モードのフローチャートである。
【図８】本発明の実施の形態に係るスキップモードのフローチャートである。
【図９】本発明の実施の形態に係る早送り・早戻しモードのフローチャートである。
【図１０】本発明の実施の形態に係るスロー再生モードのフローチャートである。
【図１１】本発明の実施の形態に係る一時停止モードのフローチャートである。
【図１２】本発明の実施の形態に係る表示画面例を示す図である。
【符号の説明】
【００９７】
１００  ディスク再生装置、１１０  制御部、１４０  ＨＤＤ、１５１  モードデータ、１２Ｕ  上方向キー、１２Ｄ  下方向キー、１２Ｌ  左方向キー、１２Ｒ  右方向キー、Ｔ  スキップ時間データ、Ｒ１  速度データ、Ｒ２  スロー速度データ。
【図１】
2006323910.tif 000003
【図２】
2006323910.tif 000004
【図３】
2006323910.tif 000005
【図４】
2006323910.tif 000006
【図５】
2006323910.tif 000007
【図６】
2006323910.tif 000008
【図７】
2006323910.tif 000009
【図８】
2006323910.tif 000010
【図９】
2006323910.tif 000011
【図１０】
2006323910.tif 000012
【図１１】
2006323910.tif 000013
【図１２】
2006323910.tif 000014